(57)【要約】【課題】二層のレンズを具有するゴーグルを提供する  【解決手段】本考案は水泳、シュノーケリング、スキューバーダイビング、水上スポーツなどで用いる二層のレンズを具有するゴーグルに関するものであり、ゴーグルのレンズ部に二層のレンズを前後に配列設置し、該二層のレンズの間に空間を設けることで、内外の温度差が外層レンズと内層レンズに伝わりにくい状態を形成することにより、ゴーグルの内層レンズが曇りを発生しにくくさせる目的に達する。【選択図】図１
0003126538.tif 000002
【実用新案登録請求の範囲】
【請求項１】
ゴーグル本体とヘッドバンド及び二枚のレンズから構成され、
ゴーグル本体とヘッドバンドは、目の周囲を覆う軟質材及び前後に並ぶ二枚のレンズを夾持し、ゴーグルの両側にヘッドバンドを設置し、
二枚のレンズは、目の前方に前後して配列して設置し、二枚のレンズの間には空間を設け、
上述の構成により、ゴーグルの二枚レンズの温度差は、間に開けた空間により和らげ、レンズが曇りにくくなることを特徴とする二層のレンズを具有するゴーグル。
【請求項２】
二枚のレンズ間の外縁にクッション部材を設置することを特徴とする請求項１記載の二層のレンズを具有するゴーグル。
【請求項３】
前記クッション部材はシリコン材質とすることを特徴とする請求項２記載の二層のレンズを具有するゴーグル。
【請求項４】
前記クッション部材はスポンジ材質の両面テープであることを特徴とする請求項２記載の二層のレンズを具有するゴーグル。
【請求項５】
ゴーグル本体に定置フレームを設置し、二枚のレンズの間に空間を具有することを特徴とする請求項１記載の二層のレンズを具有するゴーグル。
【請求項６】
前記ゴーグルの内層のレンズに防霧層を設置することを特徴とする請求項１記載の二層のレンズを具有するゴーグル。
【考案の詳細な説明】
【技術分野】
【０００１】
本考案は水泳、水上スポーツ、シュノーケリング、スキューバーダイビングなどの場合で使用するゴーグルに係り、特にゴーグルのレンズが二層であり、レンズが曇りにくいことを特徴とするゴーグルに関する。
【背景技術】
【０００２】
従来の水泳、水上スポーツ、シュノーケリング、スキューバーダイビング（以下水泳とする）などで使用するゴーグル（アイカップを含み、以下ゴーグルとする）は、水中でもクリアに視界が広がり、鼻より水を吸入するのを防止し、ゴーグルに排気バルブを設置し、鼻から吐き出された気体を排出する役割を持つ。
【０００３】
ゴーグルはレンズ部、フレーム部、軟材質及びヘッドバンドで構成し、レンズは透明のガラスや透明プラスティックで作成し、フレームは硬質のプラスティックで作成し、軟材質とレンズを結合し、ゴーグルを安定した形状に保たせ、レンズと軟材質を夾持することで、水漏れを防ぐ役割を持ち、軟材質は鼻、目の周りを覆い、軟材質で囲まれた顔面に乾燥した空間を構成し、水が目と鼻に入らないようにし、ヘッドバンドはフレーム、或は軟質材の両側に設置するバンドであり、頭部に巻きつけることでゴーグルを適切な位置に固定する。
【０００４】
上記のゴーグルの構成では、目の前方に一重のレンズ（一枚のレンズ、或は両目の各前方に一枚ずつレンズを設置）を設置し、使用する際レンズの内側は目、顔及び或は鼻があり、レンズの外側は水と接し、水の温度は人体（顔など）の温度より低く（肺より吐き出す気体を含む）、この温度差によりレンズの内側が曇りやすく、視界をぼかしやすいため、不快感が募る。
【０００５】
本考案は上記の曇りの問題を鑑みて、視界をクリアにし、快適な効果をもたらすよう改善する。
【０００６】
前記のゴーグルは、レンズのほかの部分は前述の部材に限定するものではなく、市場のゴーグルの種類は、ほぼゴーグル本体、レンズ及びヘッドバンドの構成で作られている。
【特許文献１】特開平９−５６７４１号公報
【考案の開示】
【考案が解決しようとする課題】
【０００７】
本考案の第１の目的は、二層のレンズを具有し、レンズとレンズの間に空間を設けることで内外の温度差を和らげ、温度差による曇りを減少する二層のレンズを具有するゴーグルの構造を提供することにある。
【０００８】
本考案の第２の目的は、レンズとレンズの間にシリコン或はスポンジ材質の両面テープ或はそれと類似するものを設置し、レンズとレンズの間に安定した有効的な空間を形成する二層のレンズを具有するゴーグルの構造を提供することにある。
【０００９】
本考案の第３の目的は、軟材質と二枚のレンズの結合位置が異なる定置ポイントに設置し、二枚のレンズの間に空間を作り出す二層のレンズを具有するゴーグルの構造を提供することにある。
【００１０】
本考案の第４の目的は、内層と外層のレンズはガラスのレンズを用いる二層のレンズを具有するゴーグルの構造を提供することにある。
【００１１】
本考案の第５の目的は、内層のレンズに防霧のプラスティックレンズを使用する二層のレンズを具有するゴーグルの構造を提供することにある。
【００１２】
上述の内層及び外層レンズは、ともにプラスティックレンズを用いることも可能である。
【課題を解決するための手段】
【００１３】
上述の目的を解決するために、本考案は、下記の特徴を有する二層のレンズを具有するゴーグルの構造を提供する。
１．請求項１に記載の二層のレンズを具有するゴーグルは、ゴーグル本体とヘッドバンド及び二枚のレンズから構成され、ゴーグル本体とヘッドバンドは、目の周囲を覆う軟質材及び前後に並ぶ二枚のレンズを夾持し、ゴーグルの両側にヘッドバンドを設置し、二枚のレンズは、目の前方に前後して配列して設置し、二枚のレンズの間には空間を設け、上述の構成により、ゴーグルの二枚レンズの温度差は、間に開けた空間により和らげ、レンズが曇りにくくなることを特徴とする。
２．請求項２に記載の二層のレンズを具有するゴーグルは、請求項１の場合において、二枚のレンズ間の外縁にクッション部材を設置することを特徴とする。
３．請求項３に記載の二層のレンズを具有するゴーグルは、請求項２の場合において、前記クッション部材はシリコン材質とすることを特徴とする。
４．請求項４に記載の二層のレンズを具有するゴーグルは、請求項２の場合において、前記クッション部材はスポンジ材質の両面テープであることを特徴とする。
５．請求項５に記載の二層のレンズを具有するゴーグルは、請求項１の場合において、ゴーグル本体に定置フレームを設置し、二枚のレンズの間に空間を具有することを特徴とする。
６．請求項６に記載の二層のレンズを具有するゴーグルは、請求項１の場合において、前記ゴーグルの内層のレンズに防霧層を設置することを特徴とする。
【考案の効果】
【００１４】
本考案の提供する二層のレンズを具有するゴーグルは、温度差による曇りを防止し、視界をクリアにし、快適な効果をもたらすよう改善する。
【考案を実施するための最良の形態】
【００１５】
図１が示すのは、メインフレーム１０、サブフレーム２０、第１レンズ３０、第２レンズ４０、軟材質５０及びヘッドバンド６０を含むゴーグルであり、もう一組あるサブフレーム、第１レンズ、第２レンズ及びクッション部材は省略する（図に未掲載）。
【００１６】
前記ゴーグルの構成及び形態は、上述の構成状態に限らず、本考案の構成特徴は、ゴーグルが第１レンズ３０と第２レンズ４０を具有することにあり、図１に示すのは、一つの実施例のみである。ゴーグルは本体と二枚のレンズ及びヘッドバンドで構成し、メインフレーム、サブフレーム及び軟質材を含み、或はメインフレーム、サブフレームを含まず、二枚のレンズを直接軟質材の内側に設置し、二枚のレンズの間に空間を具有することを特徴としている。
【００１７】
メインフレーム１０、サブフレーム２０は、市場で常用している設計であり、主に軟材質５０を結合し、その上レンズを夾持するものであり、メインフレーム１０、サブフレーム２０及び軟質材５０はそれぞれ少なくとも一つの枠体１１、２１、５１以上を設け、該枠体１１、２１、５１で第１レンズ３０と第２レンズ４０とゴーグル本体を結合する。
【００１８】
前記ヘッドバンド６０とは、軟質材５０或はメインフレーム１０の両側に設置し、頭部に巻きつけるものであり、公知技術であるため、ここで詳しく述べない。
【００１９】
前記第１レンズ３０と第２レンズ４０はいずれも透明のものであり、ガラス或はプラスティックなどの材質で構成され、第１レンズ３０と第２レンズ４０の間にはクッション部材７０を設置し、該クッション部材７０の主な役割は、第１レンズ３０と第２レンズ４０の間に一定の間隔を保たせるものであり、クッション部材７０の中央部はユーザーの視線を阻害しないために、孔７１になっている。
【００２０】
図２が示すのは本考案の実施例のゴーグルの縦方向断面図であり、メインフレーム１０、サブフレーム２０と軟材質５０の定置フレーム５２の間に第１レンズ３０、クッション部材７０、第２レンズ４０を夾持し、第１レンズ３０と第２レンズ４０の間に空間８０を形成し、水温の影響を受ける第２レンズ４０と体温の影響を受ける第１レンズ３０との間に熱を伝導しにくい空間８０を構成しているため、第１レンズ３０と第２レンズ４０の両者間の温度差が空間８０で和らげ、第１レンズ３０の内側が曇りにくくなり、第１レンズと第２レンズの視界をクリアにする効果に達する。
【００２１】
図３が示すのは別の実施例であり、第１レンズ３０’を軟質材５０’の定置フレーム５２’の予定位置に設置し、第２レンズ４０’を定置フレーム５２’の外縁の位置に設置し、さらにメインフレーム１０’、サブフレーム２０’を夾持することで安定した状態を形成する。つまり定置フレーム５２’の構造を介し、二枚のレンズ３０’、４０’の設置位置が異なることで、二枚のレンズ３０’、４０’の間に空間８０’が生まれ、図２と同じく視界をクリアにする効果に達する。
【００２２】
図４が示すのは別の実施例であり、メインフレーム１０”、サブフレーム２０”の夾持と軟質材５０”を組合せ、第１レンズ３０”と第２レンズ４０”との間に空間８０”を作り、第１レンズ３０”の内側に更に防霧層３１を設置する。防霧層３１とは、他の物質と貼り合わせる、或は結合し、或は其の他の防霧処理をすることで、より曇りにくくなる。
【００２３】
提出する図式や説明により、本考案の保護範囲が限定されるものではない。本考案に掲示するものはベスト実施例であり、局部の変更や修正は、本考案の技術的思考によって案出したものである場合は、本考案の特許範囲とする。  
【００２４】
本考案の二層の鏡面の仕組み及び二枚のレンズの間に具有する空間の仕組みを介し、曇りを減少する目的に達する。
【図面の簡単な説明】
【００２５】
【図１】本考案の分解立体図である。
【図２】本考案の鏡面部縦方向の断面図例（１）である。
【図３】本考案の鏡面部縦方向の断面図例（２）である。
【図４】本考案の鏡面部縦方向の断面図例（３）である。
【符号の説明】
【００２６】
１０  メインフレーム、
２０  サブフレーム、
３０  第１レンズ
４０  第２レンズ、
５０  軟材質
５２  定置フレーム
６０  ヘッドバンド
１１、２１、５１  枠体
７０  クッション部材
７１  孔
８０  空間      
１０’  メインフレーム、
２０’  サブフレーム
３０’  第１レンズ
４０’  第２レンズ
５０’  軟質材
５２’  定置フレーム
８０’  空間
１０”  メインフレーム、
２０”  サブフレーム
５０”  軟質材
３０”  第１レンズ
４０”  第２レンズ
８０”  空間
３１  防霧層
【図１】
0003126538.tif 000003
【図２】
0003126538.tif 000004
【図３】
0003126538.tif 000005
【図４】
0003126538.tif 000006
【手続補正書】
【提出日】平成18年8月23日(2006.8.23)
【手続補正１】
【補正対象書類名】実用新案登録請求の範囲
【補正対象項目名】請求項１
【補正方法】変更
【補正の内容】
【請求項１】
ゴーグル本体とヘッドバンド及び二枚のレンズから構成され、
ゴーグル本体とヘッドバンドは、目の周囲を覆う軟質材及び前後に並ぶ二枚のレンズを夾
持し、ゴーグル本体の両側にヘッドバンドを設置し、
二枚のレンズは、目の前方に前後して配列して設置し、二枚のレンズの間には空間を設け
、
上述の構成により、ゴーグルの二枚レンズの温度差は、間に開けた空間により和らげ、レ
ンズが曇りにくくなることを特徴とする二層のレンズを具有するゴーグル。